(57)【特許請求の範囲】
【請求項１】
加工物上に規則的アレイをサブピクセル行印刷する方法において、前記サブピクセルがｃ種類の異なる色を有しかつサブピクセルピッチｓを有する方法であって、
（ａ）  ｐというノズル間間隔を伴って一列に並んで配置されたｚ個のノズルを有するプリントヘッドを提供するステップであって、ｚ＝ｎ1（ｃ）、ｐ＝（ｃ−１）（ｓ）であり、前記プリントヘッドが前記加工物に対して第１の位置にあるステップと；
（ｂ）  前記ｃ種類の色の各々について1つずつのc種類の異なる印刷用インクを提供するステップと；
（ｃ）  規則的な交互パターンで前記ノズルに前記印刷用インクの各々を供給するステップと；
（ｄ）  前記プリントヘッドでｚ行のサブピクセルの第1のセットを印刷するステップと；
（ｅ）  前記プリントヘッドの側面方向に対して前記加工物を距離ｄ1だけ移動させるステップであって、ｄ1＝ｚ（ｓ）であるステップと；
（ｆ）  前記プリントヘッドでｚ行のサブピクセルの第２のセットを印刷するステップと；
（ｇ）  ｚ行のサブピクセルを合計で（ｎ2＋２）セットのために、（ｅ）ステップおよび（ｆ）ステップをｎ2回反復するステップと、
を含み、
ｃは、１より大きい整数であり；
ｎ1は、ｃが奇数である場合にはｎ1も奇数であることを条件として、０より大きい整数であり；
ｎ2は０よりも大きい整数である、
方法。
【請求項２】
ｃが３または４である、請求項１に記載の方法。
【請求項３】
ｎ1が少なくとも２である、請求項１に記載の方法。
【請求項４】
ｃ＝２であり、かつｎ1＝４〜８、ｎ2＝３である、請求項１に記載の方法。
【請求項５】
ｃ＝３であり、かつｎ1＝３または５である、請求項１に記載の方法。
【請求項６】
ｃ＝４であり、ｎ1＝２〜４である、請求項１に記載の方法。
【請求項７】
各々の印刷用インクが電界発光材料と液体媒質を含む、請求項１に記載の方法。
【発明の詳細な説明】
【技術分野】
【０００１】
［関連出願の相互参照］
本出願は、全体が参照により本明細書中に援用されている２００９年３月６日出願の仮特許出願第６１／１５８，０１７号からの優先権を、３５．Ｕ．Ｓ．Ｃ．第１１９条（ｅ）に基づき主張するものである。
【０００２】
本開示は一般に、電子デバイスおよび方法、そしてより詳細には、電極および異なる色の有機活性領域を有する電子デバイス、ならびにこれを形成する方法に関する。
【背景技術】
【０００３】
電子デバイスは、液晶ディスプレイ（「ＬＣＤ」）、有機発光ダイオード（ＯＬＥＤ）ディスプレイなどを含み得る。電子デバイスの製造は、溶液堆積技術を用いて実施されてもよい。電子デバイスを製造する１つの方法は、印刷（例えばインクジェット印刷、連続印刷など）により基板上に有機層を堆積させることにある。印刷プロセスにおいて、印刷されている液体組成物は、有機溶媒、水性溶媒または溶媒の組合せを用いた溶液、分散体、エマルジョンまたは懸濁液の形で有機材料を含む。印刷の後、１つまたは複数の溶媒は蒸発させられ、有機材料が残って電子デバイスのための有機層を形成する。
【発明の概要】
【発明が解決しようとする課題】
【０００４】
典型的には、第１の色が印刷され、その後印刷装置が再較正され、第２の色が印刷される。一部の場合、第１の印刷された色を伴う基板は、第２の色の印刷のために第２のプリンタまで移動される。これには同様に、プリンタの設定および整列のための時間も必要である。多くの場合において、赤、緑および青の３つの色が印刷される。この場合、各色について再較正および／または再整列の時間をかけなくてはならない。改善された印刷プロセスに対するニーズが存在する。
【課題を解決するための手段】
【０００５】
加工物上に規則的アレイをサブピクセル行印刷するための方法において、サブピクセルがｃ種類の異なる色を有しかつサブピクセルピッチｓを有する方法であって、
（ａ）  ｐというノズル間間隔を伴って行の形で配置されたｚ個のノズルを有するプリントヘッドを提供するステップであって、ｚ＝ｎ1（ｃ）、ｐ＝（ｃ−１）（ｓ）であり、プリントヘッドが加工物に対して第１の位置にあるステップと；
（ｂ）  ｃ種類の色の各々について1つずつのc種類の異なる印刷用インクを提供するステップと；
（ｃ）  規則的な交互パターンでノズルに印刷用インクの各々を供給するステップと；
（ｄ）  プリントヘッドでｚ行のサブピクセルの第1のセットを印刷するステップと；
（ｅ）  プリントヘッドに対して横方向に加工物を距離ｄ1だけ移動させるステップであって、ｄ1＝ｚ（ｓ）であるステップと；
（ｆ）  プリントヘッドでｚ行のサブピクセルの第２のセットを印刷するステップと；
（ｇ）  ｚ行のサブピクセルを合計で（ｎ2＋２）セットのために、（ｅ）ステップおよび（ｆ）ステップをｎ2回反復するステップと、
を含み、
ｃは、１より大きい整数であり；
ｎ1は、ｃが奇数である場合にはｎ1も奇数であることを条件として、０より大きい整数であり；
ｎ2は０よりも大きい整数である、
方法が提供されている。
【０００６】
以上の一般的記述および以下の詳細な記述は単に例示および説明を目的としたものにすぎず、添付のクレームに定義されている通りの発明を限定するものではない。
【０００７】
本明細書中で提示されている概念をよりよく理解するために、添付の図中に実施形態が示されている。
【図面の簡単な説明】
【０００８】
【図１】ディスプレイを含む電子デバイスを製造するための加工物の平面図を含む。
【図２】加工物とプリンタの断面図を含む。
【図３】加工物および異なるプリンタの断面図の別の例証を含む。
【図４】２色での印刷方法を示す図表を含む。
【図５】３色での印刷方法を示す図表を含む。
【図６】４色での印刷方法を示す図表を含む。
【図７】２色用の印刷方法を示す別の図表を含む。
【０００９】
当業者であれば、図中の要素が簡略化および明確化を期して示されたものであり、必ずしも原寸に比例して描かれているわけではないということがわかる。例えば、図中の一部の要素の寸法は、本発明の実施形態をより良く理解する一助となるように、他の要素に比べて誇張されていることがある。
【発明を実施するための形態】
【００１０】
以上では数多くの態様および実施形態を記述してきたが、これらは単に例示的なものであり非限定的である。本明細書を読んだ後、当業者であれば、本発明の範囲から逸脱することなく他の態様および実施形態が可能であるということがわかる。
【００１１】
実施形態のうちのいずれか１つの実施形態の他の特徴および利益が、以下の詳細な説明およびクレームから明らかとなる。詳細な説明は、まず最初に「用語の定義と明確化」そしてそれに続く「プリンタ」「印刷方法」および「電子デバイス」を扱うものである。
【００１２】
１．用語の定義および明確化
以下で記述する実施形態の詳細に触れる前に、いくつかの用語を定義づけし明確化する。
【００１３】
「アレイ」という用語は、要素の秩序立った配置を意味するように意図されている。アレイは、ピクセル、サブピクセル、セルまたは通常行および列と呼ばれる秩序立った配置内のその他の構造を含んでいて良い。アレイを、ｘ方向およびｙ方向の観点から記述することができる。
【００１４】
「青色発光部品」という用語は、およそ４００〜５００ｎｍの範囲内の波長で発光極大を有する放射線を発することのできる電子部品を意味するように意図されている。
【００１５】
「連続的」という用語およびその変形形態は、実質的に切れ目がないことを意味するように意図されている。一実施形態において、連続的に印刷することは、液滴を用いた堆積技術とは対照的に、液体または液体組成物の実質的に切れ目のない流れを用いて印刷することである。別の実施形態においては、「連続的に延在する」とは、その一定長に沿って層、部材または構造内に有意な破断が一切無い、一定長の層、部材または構造を意味する。
【００１６】
「電子デバイス」という用語は、適切に電気接続され適切な電位が供給された場合に集合的に１つの機能を果たす回路、電子部品またはその任意の組合せの集合物を意味するように意図されている。電子デバイスは、１つのシステム内に含まれていても、またはその一部をなしていてもよい。電子デバイスの一例としては、ディスプレイ、センサーアレイ、コンピュータシステム、航空電子システム、自動車、携帯電話、その他の民生用または工業用電子製品、またはその任意の組合せが含まれる。
【００１７】
「緑色発光部品」という用語は、およそ５００〜６００ｎｍの範囲内の波長で発光極大を有する放射線を発することのできる電子部品を意味するように意図されている。
【００１８】
「ゲスト材料」という用語は、ホスト材料を含む層内の材料であって、このような材料がない場合の層の電子的特性または放射線放出、受容またはフィルタリングの波長と比較した場合に、層の電子的特性または放射線放出、受容またはフィルタリングの標的波長を変化させる材料を意味する。
【００１９】
「ホスト材料」という用語は、ゲスト材料が追加されてもされなくてもよい、通常は層の形をした材料を意味するように意図されている。ホスト材料は、電子的特徴または放射線を放出、受容またはフィルタリングする能力を有していてもいなくてもよい。
【００２０】
「液体組成物」という用語は、液体媒質中に溶解されて溶液を形成し、液体媒質中に分散されて分散を形成し、あるいは液体媒質中に懸濁されて懸濁液またはエマルジョンを形成する材料を意味するように意図されている。
【００２１】
「液体媒質」という用語は、溶液、分散懸濁液またはエマルジョン中の液体を意味するように意図されている。「液体媒質」という用語は、１つ以上の溶媒が存在するか否かとは無関係に使用され、したがって、液体媒質はこの用語の単数形（ｌｉｑｕｉｄ  ｍｅｄｉｕｍ）または複数形（すなわちｌｉｑｕｉｄ  ｍｅｄｉａ）として使用される。
【００２２】
「ノズル」という用語は、それを通して液体組成物または液体媒質を分配できる器材の一部分を意味するように意図されている。
【００２３】
「配向する」という用語は、１つのフィーチャが延在する主要な方向を意味するように意図されている。同じ高さまたは異なる高さにある異なるフィーチャの間のように、フィーチャは、互いに対して実質的に平行に、実質的に垂直に、あるいは別の角度関係で配向されてもよい。
【００２４】
「有機活性層」という用語は、有機層のうちの少なくとも１層が単独で、または異種材料と接触した時点で整流接合を形成することのできる、１つ以上の有機層を意味するように意図されている。「有機活性領域」という用語は、有機領域のうちの少なくとも１つの領域が単独で、または異種材料と接触した時点で整流接合を形成することのできる、１つ以上の有機領域を意味するように意図されている。
【００２５】
「有機層」という用語は、少なくとも１層が、炭素および少なくとも１つの他の元素、例えば水素、酸素、窒素、フッ素などを含む材料を含んでいる１つ以上の層を意味するように意図されている。
【００２６】
「ピッチ」という用語は、フィーチャの寸法と、直接隣接するフィーチャ間の空間寸法の和を意味するように意図されている。
【００２７】
「ピクセル」という用語は、１アレイの最小の完全な反復単位を意味するように意図されている。「サブピクセル」という用語は、１ピクセルの全体ではなく一部分のみを構成する１ピクセルの１分量を意味するように意図されている。フルカラーディスプレイにおいて、フルカラーピクセルは、赤、緑および青色のスペクトル領域内の原色を伴う３つのサブピクセルを含み得る。センサーアレイは、サブピクセルを含んでいてもいなくてもよいピクセルを含むことができる。
【００２８】
「印刷する」という用語は、液体および液体組成物を加工物上に分配するためにプリントヘッドまたはその他の類似の構造を使用することにより層を選択的に堆積させる行為を意味するように意図されている。
【００２９】
「印刷用器材」という用語は、加工物上に層を印刷するように設計された１つ以上の材料、機器、アセンブリまたはサブアセンブリの組合せを意味するように意図されている。
【００３０】
「放射線放出用部品」という用語は、適切に付勢された場合に、標的の波長または波長スペクトルで放射線を放出する電子部品を意味するように意図されている。放射線は、可視光スペクトル内にあるかまたは可視光スペクトル外（ＵＶまたはＩＲ）にあってもよい。発光ダイオードなどの発光部品が、放射線放出部品の一例である。
【００３１】
「放射線応答性部品」という用語は、適切に付勢された時点で標的の波長または波長スペクトルで放射線に応答できる電子部品を意味するように意図されている。放射線は、可視光スペクトル内または可視光スペクトル外（ＵＶまたはＩＲ）にあってもよい。ＩＲセンサーおよび光電池が、放射線応答性部品の例である。
【００３２】
「整流接合」という用語は、半導体層内部または半導体領域内部の接合、あるいは半導体層または半導体領域と異種材料との間の界面により形成される接合を意味するように意図されており、ここで１つのタイプの電荷担体が、反対方向に比べてさらに容易に一方向に接合を通して流動する。ｐｎ接合が、ダイオードとして使用可能な整流接合の一例である。
【００３３】
「赤色発光部品」は、およそ６００〜７００ｎｍの範囲内の波長で発光極大を有する放射線を発することのできる電子部品を意味するように意図されている。
【００３４】
「分解能限界」という用語は、特定の器材または他の機器を用いた場合に再現可能な形で形成され得る最小のフィーチャサイズを意味するように意図されている。
【００３５】
「可視光スペクトル」という用語は、およそ４００〜７００ｎｍに対応する波長を有する放射線スペクトルを意味するように意図されている。
【００３６】
「幅」という用語は、層の如何に関わらず、上面図で見た場合の特定のフィーチャの狭い方の寸法に対応する方向で測定される寸法を意味するように意図されている。「長さ」という用語は、層の如何に関わらず、上面図で見た場合の幅に対して実質的に垂直な方向で測定される寸法を意味するように意図されている。
【００３７】
「加工物」という用語は、上に１つ以上のデバイス層を伴う基板を意味するように意図されている。デバイス層は無機または有機であり得る。
【００３８】
本明細書中で使用される「ｃｏｍｐｒｉｓｅ（含む）」、「ｃｏｍｐｒｉｓｉｎｇ（含む）」、「ｉｎｃｌｕｄｅ（含む）」、「ｉｎｃｌｕｄｉｎｇ（含む）」、「ｈａｓ（有する）」、「ｈａｖｉｎｇ（有する）」またはその任意の他の変形形態は、非排他的内含を網羅するように意図されている。例えば、一連の特徴を含むプロセス、方法、物品または器材は必ずしもこれらの特徴のみに限定されるわけではなく、明示的に列挙されていないまたはこのようなプロセス、方法、物品または器材に固有のその他の特徴を含んでいてもよい。さらに、別段の明示的記述のないかぎり、「または」という用語は、排他的ｏｒではなく包含的ｏｒを意味する。例えば条件ＡまたはＢは、Ａが真であり（または存在する）Ｂが偽である（または存在しない）場合、Ａが偽であり（または存在しない）Ｂが真である（または存在する）場合、およびＡとＢの両方が真である（または存在する）場合、のうちのいずれか１つの場合に満たされる。
【００３９】
同様に、「ａ」または「ａｎ」の使用は、本明細書中に記述されている要素および成分を記述するために用いられる。これは、単に便宜上、そして本発明の範囲の一般的意味合いを与えるためになされている。この記述は、１つまたは少なくとも１つを包含するものとして解釈されるべきであり、他の意図があることが明白でないかぎり、単数は複数をも包含している。
【００４０】
元素周期表内の縦列に対応する族番号は、ＣＲＣ  Ｈａｎｄｂｏｏｋ  ｏｆ  Ｃｈｅｍｉｓｔｒｙ  ａｎｄ  Ｐｈｙｓｉｃｓ、８１st  Ｅｄｉｔｉｏｎ（２０００−２００１）に見られる「新表記法」規則を使用している。
【００４１】
別段の定義のない限り、本明細書中で使用される全ての技術的および化学的用語は、本発明が属する技術分野の当業者により一般的に理解されるものと同じ意味を有する。本発明の実施形態の実践または試験において、本明細書中に記載されているものと類似のまたは同等の方法および材料を使用することが可能であるが、以下では適切な方法および材料について記述する。本明細書中で言及されている全ての刊行物、特許出願、特許およびその他の参考文献は、特定の語句が引用されているのでないかぎり、その全体が参照により本明細書中に援用される。不一致がある場合、定義を含めた本明細書に従うものとする。さらに、材料、方法および実施例は、単に例示的なものであって限定的であることを意図されたものではない。
【００４２】
本明細書中に記載されていないかぎり、具体的な材料、加工行為および回路に関する数多くの詳細は従来通りであり、有機発光ダイオードディスプレイ、光検出器、光電池および半導体部材の技術分野内の教本およびその他の出典中に見出される。
【００４３】
２．プリンタ
特定の実施形態を扱う前に、本明細書中で記述されている概念を理解する上で一助となるようにプリンタに触れておく。
【００４４】
図１に示されている通り、プリンタ１０は、ノズル１２０の付いたプリントヘッド１１０を有する。ノズル間の間隔はｐとして示されている。プリンタは、各ノズルに適切な流体組成物を供給するためのライン（図示せず）に取付けられている。各色に１つずつの異なる液体組成物が規則的な交互パターンで供給されている。このことはすなわち、各色の１つの組成物が供給された後にいずれかが重ねられ、そして追加の色が同じ順序で供給されることを意味している。この図において、第１のノズルは色１を、第２のノズルは色２を、第３のノズルは色１をそして第４のノズルは色２を有することができる。こうしてこのシステムにおいて：
Ｃ＝２
ｚ＝ｎ1（ｃ）＝ｎ1（２）＝４（なおｎ1＝２である）
ｐ＝（ｃ−１）ｓ＝ｓ
ノズル間の間隔はサブピクセルピッチに等しいことから、隣接するノズルは隣接するピクセル中に印刷する。
【００４５】
プリントヘッドは加工物２０の上に示されている。プリントヘッドと加工物を互いとの関係において移動させることができる。印刷する場合、プリントヘッドは、加工物との関係において紙の平面に出入りする方向で移動する。プリントヘッドは同様に、Ｌにより示されるとおり、加工物との関係において横方向にも移動する。この運動は相対的なものである。一部の場合、加工物が移動させられる。一部の場合、プリントヘッドと加工物の両方が移動させられる。簡略化を期して、この運動は、プリントヘッドだけが移動させられているかのように、かつ加工物が静止状態にあるかのように扱われる。プリントヘッドと加工物のいずれかまたは両方を移動することができ、問題となっているのは互いとの関係におけるそれらの運動だけである、ということを理解されたい。
【００４６】
第２のプリンタが図２に示されている。プリンタ３０は、ノズル３２０を伴うプリントヘッド３１０を有する。このプリンタは、３つの色Ｒ、ＧおよびＢを印刷するために使用可能である。このシステムにおいて：
ｃ＝３
ｚ＝ｎ1（ｃ）＝ｎ1（３）＝９（なおｎ1＝３である）
ｐ＝（ｃ−１）＝２ｓ
ｃは奇数であることから、ｎ1も同じく奇数であり、したがってノズルの合計数は奇数であるという点を指摘しておくべきである。液体組成物は、第１のノズルがＲを有し、第２のノズルがＧを、第３のノズルがＢを、第４のノズルがＲを、第５のノズルがＧを、第６のノズルがＢを有する等々となるように供給され得る。色の実際の順序は重要ではない。図１にあるように、プリントヘッドは印刷すべき紙の平面に出入りするように移動し、Ｌにより示された方向で横方向にシフトすることができる。
【００４７】
図１に示された実施形態において、プリンタは４本のノズルを有する。図２に示された実施形態において、プリンタは９本のノズルを有する。ノズルの実際の数はこれより多い可能性があり、実際的な製造上の考慮事項によってのみ制限される。一部の実施形態において、ノズル数は６〜２４本の範囲内にある。
【００４８】
印刷の送出は、液体材料を堆積させるための任意の公知のシステムによる。印刷技術の一部の例としては、インクジェットおよび連続ノズルスプレーが含まれるが、これらに限定されない。
【００４９】
３．印刷方法
図３は、電子デバイスを製造するための加工物２０の平面図を含む。加工物は、サブピクセル開口部の規則的アレイ２１０を有する基板２００を含んでいる。加工物は第１の縁部２０１および反対側縁部２０２を有する。図には、わずかなサブピクセルしか示されていない。実際には、デバイスは数百またはそれ以上のサブピクセルを含むかもしれない。一部の実施形態では、サブピクセル開口部は、物理的格納構造、化学的格納構造またはその両方であり得る格納構造（図示せず）によって画定される。サブピクセル開口部２１０は、２１１、２１２および２１３として示されている規則的な行アレイの形をしている。サブピクセルのピッチは、ｓとして示されている。この図では、３つのサブピクセルが一緒にピクセル２２０を形成する。示された実施形態において、サブピクセル２１０は矩形形状を有する。円形、楕円形、正方形または多角形などのその他のサブピクセル形状を使用することもできる。印刷方向は、図中にｘとして示されている。横方向運動は、印刷方向に対して垂直なｙ方向での運動として定義される。
【００５０】
本明細書で記述されている方法においては、サブピクセルの行の規則的アレイが、加工物上に印刷される。印刷される色数はｃであり、ｃは少なくとも２であり、サブピクセルはサブピクセルピッチｓを有する。この方法には、以下のステップが含まれる：
（ａ）  ｐというノズル間間隔を伴って行の形で配置されたｚ個のノズルを有するプリントヘッドを提供するステップであって、ｚ＝ｎ1（ｃ）、ｐ＝（ｃ−１）（ｓ）であり、プリントヘッドが加工物に対して第１の位置にあるステップ；
（ｂ）  ｃ種類の色の各々について1つずつのc種類の異なる印刷用インクを提供するステップ；
（ｃ）  規則的な交互パターンでノズルに印刷用インクの各々を供給するステップ；
（ｄ）  プリントヘッドでｚ行のサブピクセルの第1のセットを印刷するステップ；
（ｅ）  プリントヘッドに対して横方向に加工物を距離ｄ1だけ移動させるステップであって、ｄ1＝ｚ（ｓ）であるステップ；
（ｆ）  プリントヘッドでｚ行のサブピクセルの第２のセットを印刷するステップ；
（ｇ）  ｚ行のサブピクセルを合計で（ｎ2＋２）セットのために、（ｅ）ステップおよび（ｆ）ステップをｎ2回反復するステップ、
なお、
ｃは、１より大きい整数であり；
ｎ1は、ｃが奇数である場合にはｎ1も奇数であることを条件として、０より大きい整数であり；
ｎ2は０よりも大きい整数である。
【００５１】
プリントヘッドはｚ個のノズルを有し、ここでｚは色数ｃの倍数である。こうして、ｚ＝ｎ1（ｃ）であり、ここでｃが奇数である場合にはｎ1もまた奇数であることを条件としてｎ1は０より大きい整数である。一部の実施形態において、ｃは２、３または４である。一部の実施形態において、ｃ＝３である場合、色は赤色、青色および緑色（「Ｒ、Ｂ、Ｇ」）である。一部の実施形態において、ｃ＝４である場合、色は赤色、青色、緑色および白色である。一部の実施形態において、ｎ1は２以上である。一部の実施形態において、ｃ＝２でありｎ1＝４〜８である。一部の実施形態において、ｃ＝３であり、ｎ1＝３または５である。一部の実施形態において、ｃ＝４でありｎ1＝２〜４である。
【００５２】
プリントヘッドは加工物より上の第１の印刷位置から出発する。この第１の位置は、Ａ１と呼ばれ、これについては後出の項で論述される。一部の実施形態において、プリンタは、図３中に２０１として示されている加工物の１つの縁部に位置づけされ、サブピクセルの第１の行上にくるように整列される。ノズルは、サブピクセルピッチ単位である距離ｐだけ離隔され、こうしてこれらのノズルはサブピクセル行内に印刷するように全て整列されることになる。したがってこれらのノズルは、サブピクセルピッチｓの倍数だけ離隔され、ｐ＝（ｃ−１）（ｓ）である。「１つの数の倍数」という用語は、０より大きい整数をこの数に乗じた値を意味する。
【００５３】
プリンタは、図３に示されているようにｘ方向で加工物を横断して印刷を行い、第１のサブピクセル行セットを印刷する。印刷された行の数は、プリントヘッド上のノズル数に等しい。
【００５４】
第１の行セットの印刷が完了した後、プリントヘッドは、加工物を横断して横方向に、隣接する印刷位置まで移動する。この位置はＡ２と呼ばれ、これについては後出の項で論述する。この運動は、加工物の平面に対して平行であり、行方向に対して垂直なｙ方向である。移動した距離ｄ1も同様にサブピクセルピッチｓの倍数であり、ｚ（ｓ）に等しい。次に、ｚ行の第２のセットが印刷される。印刷は、最初の印刷と反対方向に行うことができ、あるいはプリントヘッドは最初の印刷の場合と同じ側まで戻って同じ方向に印刷することも可能である。これは、機器およびソフトウエアによって決定される。
【００５５】
上述のステップは、合計ｎ2＋２セットのサブピクセル行の第１グループが印刷されてしまうまでｎ2回反復される。
【００５６】
実際には、サブピクセル行を任意の順序で印刷することができる。加工物との関係におけるプリントヘッドの運動は上述の通りであり、必ずしも順番通りではないが位置Ａ１、Ａ２、Ａ３などから出発してｎ2+２セットのサブピクセル行が印刷される。精確な印刷順序は、プリンタを使用するための最も効率よい方法により決定される。
【００５７】
本明細書中で記述されている方法は、図４−７においてさらに示されている。図４では、Ｍ１およびＭ２の２色が存在する。プリントヘッド上には６本のノズルが存在し、ノズル間の間隔どりは、１サブピクセルピッチ単位である。したがってこの図中：
ｃ＝２、
ｚ＝６、
ｐ＝１（ｓ）および
ｎ1＝３である。
【００５８】
色は、「プリンタ」と標示された列の下に示されている通りに配列される。プリントヘッドは、色Ｍ１を有する第１のノズルがサブピクセル行１の上にある状態で、第１の縁部に位置づけされる。これが、Ａ１として示される第１の印刷位置である。位置Ａ１は、第１のノズルが上に置かれたサブピクセル行として定義づけされる。プリンタは行方向に加工物を横断して印刷し、サブピクセル行１に色Ｍ１の行を形成し、サブピクセル行２に色Ｍ２の行を、サブピクセル行３に色Ｍ１の行を、サブピクセル行４に色Ｍ２の行を、サブピクセル行５に色Ｍ１の行をそしてサブピクセル行６に色Ｍ２の行を形成する。これは、印刷番号１と標示された列内に示されている。明確さを期して各色について１つのサブピクセルのみが示されているが、各々は１つのサブピクセル行全体を表わしている。次にプリンタは、ｚサブピクセル単位である距離ｄ1だけ横方向にシフトする。この場合、ｚ＝６である。これはプリンタに関して配置Ａ２である。プリンタは次に第２の行セット、すなわち印刷番号２と標示された列に示されているように、サブピクセル行７に色Ｍ１の行を、サブピクセル行８に色Ｍ２の行を、サブピクセル行９に色Ｍ１の行を、サブピクセル行１０に色Ｍ２の行を、サブピクセル行１１に色Ｍ１の行をそしてサブピクセル行１２に色Ｍ２の行を印刷する。印刷番号２は、明確さを期して、印刷番号１の右へシフトされた状態で示されている。印刷番号１および印刷番号２の両方ならびに他の全てのＰｒｉｎｔ番号は、加工物を横断して印刷された全てのサブピクセル行を表わす。プリンタは次に再度横方向に６サブピクセル単位だけシフトする。これはプリンタに関しては位置Ａ３である。プリンタは、次に第３の行セット、すなわち印刷番号３と標示された列に示されているように、サブピクセル行１３に色Ｍ１の行を、サブピクセル行１４に色Ｍ２の行を、サブピクセル行１５に色Ｍ１の行を、サブピクセル行１６に色Ｍ２の行を、サブピクセル行１７に色Ｍ１の行をそしてサブピクセル行１８に色Ｍ２の行を印刷する。プリンタは次に再度横方向に６サブピクセル単位だけシフトする。これはプリンタに関しては位置Ａ４である。プリンタは次に第４の行セット、すなわち印刷番号４と標示された列に示されているように、サブピクセル行１９に色Ｍ１の行を、サブピクセル行２０に色Ｍ２の行を、サブピクセル行２１に色Ｍ１の行を、サブピクセル行２２に色Ｍ２の行を、サブピクセル行２３に色Ｍ１の行をそしてサブピクセル行２４に色Ｍ２の行を印刷する。
【００５９】
この時点で、プリンタは、６サブピクセル行を４セット、つまり２４サブピクセル行を印刷し終えている。この時点で印刷は、加工物の反対側の縁部に到達している。実際には、大部分のデバイスが、最高数百サブピクセル行以上のさらに多くの行を必要とし、これらの行は類似の要領で印刷される。図中の２４本のサブピクセル行は、一例として示されているにすぎない。
【００６０】
印刷された成果は、「パターン」と標示された列に示されている。いかなるサブピクセル行も欠けることなくパターンが完全であることがわかる。したがって、使用可能なデバイス部域は、サブピクセル行１からサブピクセル行２４までである。
【００６１】
図５では、３つの色、赤、青そして緑が存在する。プリントヘッド上には９本のノズルが存在し、ノズル間の間隔どりは、２サブピクセルピッチ単位である。したがってこの図中：
ｃ＝３、
ｚ＝９、
ｐ＝２（ｓ）および
ｎ1＝３である。
【００６２】
色は、「プリンタ」列内に示されている通りに配列される。プリントヘッドは、加工物の第１の縁部で、サブピクセル行１の上のＡ１に位置づけされる。プリンタは行方向に加工物を横断して印刷し、サブピクセル行１に赤の行を形成し、サブピクセル行３に緑の行を、サブピクセル行５に青の行を、サブピクセル行７に赤の行を、サブピクセル行９に緑の行を、サブピクセル行１１に青の行を、サブピクセル行１３に赤の行を、サブピクセル行１５に緑の行を、そしてサブピクセル行１７に青の行を形成する。これは、印刷番号１と標示された列内に示されている。図３の場合と同様、明確さを期して各色について１つのサブピクセルのみが示されているが、各々全てのサブピクセル行を表わしている。次にプリンタは、ｚサブピクセル単位である距離ｄ1だけ横方向にシフトする。この場合、ｚ＝９である。これはプリンタに関して配置Ａ２である。プリンタは次に第２の行セット、すなわちサブピクセル行１０、１６および２２に赤の行を、サブピクセル行１２，１８および２４に緑の行をそしてサブピクセル行１４、２０および２６に青の行を印刷する。これは印刷番号２の列内に示されている。印刷番号２は、明確さを期して、印刷番号１の右へシフトされた状態で示されている。印刷番号１および印刷番号２の両方ならびに他の全てのＰｒｉｎｔ番号は、加工物を横断して印刷された全サブピクセル行を表わす。プリンタは次に印刷番号３については９サブピクセル単位シフトされ、印刷番号４についてはさらに９サブピクセル単位シフトされ、印刷番号５についてはさらに９サブピクセル単位シフトされる。
【００６３】
この時点でプリンタは、９サブピクセル行を５セット、つまり４５サブピクセル行を印刷し終えている。印刷された成果は、「パターン」と標示された列に示されている。第１の縁部ではサブピクセル行２、４、６および８について、反対の縁部ではサブピクセル行４６、４８、５０および５２についてサブピクセルが欠けていることがわかる。３色が完全なセットひいては使用可能なデバイス部域は、サブピクセル行９からサブピクセル行４４までに見出すことができる。この図では赤、青および緑が例示されているが、その他の色も使用できると考えられる。
【００６４】
図６では、４種類の色Ｍ１、Ｍ２、Ｍ３およびＭ４が存在する。プリントヘッド上には８本のノズルが存在し、ノズル間の間隔どりは、３サブピクセルピッチ単位である。したがってこの図中：
ｃ＝４、
ｚ＝８、
ｐ＝３（ｓ）および
ｎ1＝２である。
【００６５】
色は、「プリンタ」の列内に示されている通りに配列される。プリントヘッドは、加工物の第１の縁部でサブピクセル行１より上のＡ１に位置づけされる。プリンタは行方向に加工物を横断して印刷し、サブピクセル行１にＭ１の行を形成し、サブピクセル行４にＭ２の行を、サブピクセル行７にＭ３の行を、サブピクセル行１０にＭ４の行を、サブピクセル行１３にＭ１の行を、サブピクセル行１６にＭ２の行を、サブピクセル行１９にＭ３の行をそしてサブピクセル行２２にＭ４の行を形成する。これは、印刷番号１と標示された列内に示されている。図３の場合と同様、明確さを期して各色について１つのサブピクセルのみが示されているが、各々は全てのサブピクセル行を表わしている。次にプリンタは、ｚサブピクセル単位である距離ｄ1だけ横方向にシフトする。この場合、ｚ＝８である。これはプリンタに関して配置Ａ２である。プリンタは次に第２の行セット、すなわちサブピクセル行９および２１にＭ１を、サブピクセル行１２および２４にＭ２を、サブピクセル行１５および２７にＭ３を、そしてサブピクセル行１８および３０にＭ４を印刷する。これは印刷番号２の列内に示されている。印刷番号２は、明確さを期して、印刷番号１の右へシフトされた状態で示されている。印刷番号１および印刷番号２の両方ならびに他の全ての印刷番号は、加工物を横断して印刷された全サブピクセル行を表わす。プリンタは次に印刷番号３については８サブピクセル単位シフトされ、印刷番号４についてはさらに８サブピクセル単位シフトされ、印刷番号５についてはさらに８サブピクセル単位シフトされる。
【００６６】
この時点でプリンタは、８サブピクセル行を５セット、つまり４０サブピクセル行を印刷し終えている。
【００６７】
印刷された成果は、「パターン」と標示された列に示されている。第１の縁部ではサブピクセル行２、３、５、６、８、１１および１４について、反対の縁部ではサブピクセル行４１、４４、４７、４９、５０、５２および５３についてサブピクセルが欠けていることがわかる。４色が完全なセットひいては使用可能なデバイス部域は、サブピクセル行１５からサブピクセル行３８までに見出すことができる。一例として４色システムは、赤、緑、青および白の色を使用する。所望される場合、その他の色セットを使用することもできる。
【００６８】
一部の場合において、デバイスの全ての色が印刷されるわけではない。１つ以上の色を、他の堆積方法を用いて堆積させてもよい。このような方法には、蒸着、熱転写および連続液相成長技術、例えばスピンコーティング、グラビアコーティング、カーテンコーティング、ディップコーティング、スロットダイコーティングおよびスプレーコーティングが含まれるが、これらに限定されるわけではない。これらの場合において、印刷は、印刷ステップの前後に適用され得る印刷されていない色のための空間を残さなくてはならない。印刷パターンに関しては、空間が１つの色として計数される。
【００６９】
この一例が図７に示されている。２つの色Ｍ１およびＭ２そして、異なる時点で堆積されるべき第３の色のための空間が存在し、この空間は図中で「空白」で示されている。これは３色として計数される。Ｍ１を印刷する３本のノズル、Ｍ２を印刷する３本のノズルそして印刷を行わない３本のノズルが存在する。非印刷ノズルは、プリントヘッド上に物理的に存在してもしなくてもよい。非印刷ノズルが存在しない場合、これらのための空間が存在し、この空間は、印刷パターンに関してはノズルとして計数される。したがって、これは合計９本のノズルとして計数される。各色に１種類ずつの異なる液体組成物と、空間のための１つの欠落が、規則的な交互パターンで供給される。ノズル（印刷ノズルと非印刷ノズル）の間の間隔どりは、２サブピクセルピッチ単位である。
したがってこの図中：
ｃ＝３、
ｚ＝９、
ｐ＝（ｃ−１）ｓ＝２ｓ、および
ｎ1＝３である。
【００７０】
色は、「プリンタ」列内に示されている通りに配列され、ここで「空白」は非印刷ノズルを表わす。プリントヘッドは、加工物の第１の縁部で、サブピクセル行１の上のＡ１に位置づけされる。プリンタは行方向に加工物を横断して印刷し、サブピクセル行１、７および１３にＭ１色の行を形成し、サブピクセル行３、９および１５にＭ２色の行を形成する。これは、印刷番号１と標示された列内に示されている。図３の場合と同様、明確さを期して各色について１つのサブピクセルのみが示されているが、各々は１つのサブピクセル行全体を表わしている。次にプリンタは、９サブピクセル単位である距離ｄ1＝ｚだけ横方向にシフトする。これはプリンタに関して配置Ａ２である。プリンタは次に第２の行セット、すなわちサブピクセル行１０、１６および２２にＭ１色の行を、そしてサブピクセル行１２、１８および２４にＭ２色の行を印刷する。これは印刷番号２の列内に示されている。印刷番号２は、明確さを期して、印刷番号１の右へシフトされた状態で示されている。印刷番号１および印刷番号２の両方ならびに他の全ての印刷番号は、加工物を横断して印刷された全サブピクセル行を表わす。プリンタは次に印刷番号３については９サブピクセル単位シフトされ、印刷番号４についてはさらに９サブピクセル単位シフトされ、印刷番号５についてはさらに９サブピクセル単位シフトされる。
【００７１】
この時点でプリンタは、非印刷ノズルからの行を含めて９サブピクセル行のセットを５セット、つまり４５行を印刷し終えている。
【００７２】
印刷された成果は、「パターン」と標示された列に示されている。縁部ではサブピクセル行５、８、１１など、第３の色のために利用可能である開放サブピクセルが非印刷行内に存在していることがわかる。２色が完全なセットに第３の色のための空欄を加えたものひいては使用可能なデバイス部域はサブピクセル行７からサブピクセル行４５までに見出すことができる。一部の実施形態において、印刷された色は赤と緑であり、青は別途追加される。その他の色組合せも使用可能である。
【００７３】
４．電子デバイス
本明細書中で記述されている印刷方法を使用できるデバイスには、有機電子デバイスが含まれる。「有機電子デバイス」または時として単に「電子デバイス」という用語は、１つ以上の有機半導体層または材料を含むデバイスを意味するように意図されている。有機電子デバイスとしては、（１）電気エネルギーを放射線に変換するデバイス（例えば発光ダイオード、発光ダイオードディスプレイ、ダイオードレーザーまたは照明パネル）、（２）電子的プロセスを用いて信号を検出するデバイス（例えば光検出器、光伝導セル、フォトレジスター、フォトスイッチ、フォトトランジスタ、光電管、赤外線（「ＩＲ」）検出器またはバイオセンサー）、（３）放射線を電気エネルギーに変換するデバイス（例えば光起電装置または太陽電池）、（４）１つ以上の有機半導体層を含む１つ以上の電子部品を含むデバイス（例えばトランジスタまたはダイオード）、または項目（１）〜（４）中のデバイスの任意の組合せが含まれるがこれらに限定されない。
【００７４】
このようなデバイスにおいては、２つの電気接点層の間に有機活性層が挟まれている。電気接点層の少なくとも１つは光透過性であり、したがって光は電気接点層を通過できる。有機活性層は、電気接点層を横断して電気を印加した時点で、光透過性電気接点層を通って発光する。発光層と電気接点層の間に、追加の電気活性層が存在してもよい。
【００７５】
必要な色を提供するためにこのようなデバイス内で活性成分として有機電界発光化合物を使用することは周知である。本明細書中に記述されている印刷方法は、異なる色を有する電界発光材料を含む液体組成物の印刷向けに適している。このような材料としては、小分子有機蛍光化合物、蛍光および燐光性金属錯体、共役ポリマーおよびそれらの混合物が含まれるがこれらに限定されない。蛍光化合物の例としてはクリセン類、ピレン類、ペリレン類、ルブレン類、クマリン類、アントラセン類、チアジアゾール類、その誘導体およびその混合物が含まれるがこれらに限定されない。金属錯体の例としては、金属キレート化オキシノイド化合物、例えばトリス（８−ヒドロキシキノラト）アルミニウム（Ａｌｑ３）；シクロメタレート化イリジウムおよび白金電界発光化合物、例えばＰｅｔｒｏｖらの米国特許第６，６７０，６４５号明細書および公開ＰＣＴ出願国際公開第０３／０６３５５５号パンフレットおよび国際公開第２００４／０１６７１０号パンフレット中に開示されているフェニルピリジン、フェニルキノリンまたはフェニルピリミジンリガンドとイリジウムの錯体および例えば公開ＰＣＴ出願国際公開第０３／００８４２４号パンフレット、国際公開第０３／０９１６８８号パンフレットおよび国際公開第０３／０４０２５７号パンフレット中に記載されている有機金属錯体およびそれらの混合物が含まれるがこれらに限定されない。一部の場合において、小分子蛍光または有機金属材料は、加工および／または電子特性を改善するためにホスト材料と共にドーパントとして堆積させられる。共役ポリマーの例としては、ポリ（フェニレンビニレン類）、ポリフルオレン類、ポリ（スピロビフルオレン類）、ポリチオフェン類、ポリ（ｐ−フェニレン類）、そのコポリマーおよびその混合物が含まれるがこれらに限定されない。
【００７６】
印刷用インクを形成するためには、上述の材料は、適切な液体組成物の中に溶解されるかまたは分散される。特定の化合物または関連する化合物部類のための適切な溶媒は、当業者が容易に決定できる。一部の利用分野のためには、化合物を非水性溶媒中に溶解させることが望ましい。このような非水性溶媒は比較的極性のもの、例えばＣ1〜Ｃ20アルコール、エーテルおよび酸性エステルであり得、または比較的非極性のもの、例えばＣ1〜Ｃ12アルカンまたは芳香族、例えばトルエン、キシレン類、トリフルオロトルエンなどであり得る。新規化合物を含む本明細書に記述されている通りの溶液または分散のいずれかとしての液体組成物を製造する上で使用するためのその他の適切な液体としては、塩素化炭化水素（例えば塩化メチレン、クロロホルム、クロロベンゼン）、芳香族炭化水素（たとえばトリフルオロトルエンを含む置換および未置換トルエンおよびキシレン類）、極性溶媒（例えばテトラヒドロフラン（ＴＨＰ）、Ｎ−メチルピロリドン）、エステル類（たとえば酢酸エチル）、アルコール類（イソプロパノール）、ケトン（ｋｅｙｔｏｎｅｓ）類（シクロペンタトン）およびその混合物が含まれるがこれらに限定されない。光活性材料用の適切な溶媒は、例えば公開ＰＣＴ出願国際公開第２００７／１４５９７９号パンフレット中に記載されている。
【００７７】
有機電子デバイス構造の一例はＯＬＥＤである。デバイスは、アノード層である第１の電気接点層と、カソード層１６０である第２の電気接点層を有する。光活性層はこれらの間にある。場合により、追加の層が存在してもよい。アノードに隣接して、緩衝層があってもよい。緩衝層に隣接して正孔輸送材料を含む正孔輸送層があってもよい。カソードに隣接して、電子輸送材料を含む電子輸送層があってもよい。一つの選択肢として、デバイスは、アノードに隣接して１つ以上の追加の正孔注入または正孔輸送層、および／またはカソードに隣接して１つ以上の追加の電子注入または電子輸送層を使用してもよい。
【００７８】
一般的記述または実施例において上述した活動の全てが必要とされるわけではないこと、特定の活動の一部分が不要な場合があること、そして記述されているものに加えて１つ以上のさらなる活動が実施される場合があることに留意されたい。さらにまた活動が列挙されている順序は必ずしもそれらが実施される順序ではない。
【００７９】
以上の明細書において、具体的実施形態を基準として概念を記述してきた。しかしながら、当業者であれば、以下のクレーム中で記されている本発明の範囲から逸脱することなくさまざまな修正および変更を加えることができるということがわかる。したがって、本明細書および図面は、限定的な意味合いでではなく例示的な意味で考慮されるべきものであり、このような修正は全て本発明の範囲内に含まれるように意図されている。
【００８０】
具体的実施形態に関して、利益、その他の利点および課題に対する解決法を、以上で記述してきた。しかしながら、利益、利点、課題に対する解決法ならびに、いずれかの利益、利点または解決法を発生させるまたはより顕著にさせることがあるあらゆる特徴を、いずれかのまたは全てのクレームの非常に重要な、所要のまたは不可欠の特徴とみなすべきではない。
【００８１】
本明細書中において、明確さを期して別個の実施形態に関連して記述されている一部の特徴を、単一の実施形態の中に組合せた形で提供してもよい、ということを認識すべきである。反対に、簡略化のため単一の実施形態に関連して記述されているさまざまな特徴を、別個に、または任意の下位組合せの形で提供してもよい。本明細書中で規定されているさまざまな範囲内の数値の使用は、あたかもその提示された範囲内の最小値および最大値の両方の前に「約」という語があるかのように、近似値として提示されてもよい。このようにして、提示された範囲の上下のわずかな変形形態を用いて、範囲内の値と実質的に同じ結果を達成することができる。同様に、これらの範囲の開示は、１つの値の一部の成分を異なる値の一部の成分と混合した場合に結果としてもたらされ得る少数値を含めた最小および最大平均値の間の全ての値を含む連続的範囲として意図されている。さらに、より広い範囲およびより狭い範囲が開示されている場合、１つの範囲からの最小値を、別の範囲からの最大値と整合させることおよびその逆が、本発明が企図するものの中に入る。
なお、本発明は、特許請求の範囲を含め、以下の発明を包含する。
１．加工物上に規則的アレイをサブピクセル行印刷する方法において、前記サブピクセルがｃ種類の異なる色を有しかつサブピクセルピッチｓを有する方法であって、
（ａ）  ｐというノズル間間隔を伴って行の形で配置されたｚ個のノズルを有するプリントヘッドを提供するステップであって、ｚ＝ｎ1（ｃ）、ｐ＝（ｃ−１）（ｓ）であり、前記プリントヘッドが前記加工物に対して第１の位置にあるステップと；
（ｂ）  前記ｃ種類の色の各々について1つずつのc種類の異なる印刷用インクを提供するステップと；
（ｃ）  規則的な交互パターンで前記ノズルに前記印刷用インクの各々を供給するステップと；
（ｄ）  前記プリントヘッドでｚ行のサブピクセルの第1のセットを印刷するステップと；
（ｅ）  前記プリントヘッドに対して横方向に前記加工物を距離ｄ1だけ移動させるステップであって、ｄ1＝ｚ（ｓ）であるステップと；
（ｆ）  前記プリントヘッドでｚ行のサブピクセルの第２のセットを印刷するステップと；
（ｇ）  ｚ行のサブピクセルを合計で（ｎ2＋２）セットのために、（ｅ）ステップおよび（ｆ）ステップをｎ2回反復するステップと、
を含み、
ｃは、１より大きい整数であり；
ｎ1は、ｃが奇数である場合にはｎ1も奇数であることを条件として、０より大きい整数であり；
ｎ2は０よりも大きい整数である、
方法。
２．ｃが２、３または４である、１に記載の方法。
３．ｎ1が少なくとも２である、１に記載の方法。
４．ｃ＝２であり、かつｎ1＝４〜８、ｎ2＝３である、１に記載の方法。
５．ｃ＝３であり、かつｎ1＝３または５である、１に記載の方法。
６．ｃ＝４であり、ｎ1＝２〜４である、１に記載の方法。
７．各々の印刷用インクが電界発光材料と液体媒質を含む、１に記載の方法。
【図１】
0005612613.tif 000002
【図２】
0005612613.tif 000003
【図３】
0005612613.tif 000004
【図４】
0005612613.tif 000005
【図５】
0005612613.tif 000006
【図６】
0005612613.tif 000007
【図７】
0005612613.tif 000008